【事件の表示】
　特願２００５−１８５２６５「カラー画像形成装置」拒絶査定不服審判事件〔平成１７年１１月１０日出願公開、特開２００５−３１６５１０〕について、次のとおり審決する。
【結　論】
　本件審判の請求は、成り立たない。
【理　由】
１．手続きの経緯及び本願発明
　本願は、平成１３年１２月２８日に出願した特願２００１−３９９０８３号の一部を特許法第４４条第１項の規定により分割して、平成１７年６月２４日に新たな特許出願とした特願２００５−１８５２６５号であって、平成１９年５月２２日付けで拒絶査定がなされ、これに対して同年６月２８日付けで審判請求がなされ、その後、平成２０年７月２２日付けで当審からの拒絶理由が通知され、これに対して、同年９月２５日付けで手続補正がなされたものである。
　本願発明は、平成２０年９月２５日付けで補正された特許請求の範囲の請求項１〜６に記載されたものと認められるところ、その請求項１に記載された発明は（以下「本願発明１」という）は、次のとおりのものである。
　
「複数の像形成体、
　該像形成体の各々に対応して設けられ、異なる複数の単色像の書込を行う書込手段、
　ベルト状の中間転写体、
　前記像形成体の各々に対応して設けられ、前記中間転写体に前記単色像を転写して前記中間転写体上にカラー像を形成する複数の第１転写手段及び、
　前記カラー像を記録材に転写する第２転写手段を有するカラー画像形成装置であって、
　各色のレジストマークを前記複数の像形成体の各々に形成し、形成された前記レジストマークを前記中間転写体に前記第１転写手段により転写して前記中間転写体上に複数の前記レジストマークを形成する制御を行う制御手段及び前記中間転写体上の前記レジストマークの位置を検知するマークセンサを有するカラー画像形成装置において、
　前記制御手段は、前記第１転写手段の各々が同時に前記レジストマークの転写を行うように、前記書込手段の書込タイミングを制御し、制御において、前記レジストマークを形成する際に前記書込手段の各々に入力するビデオ信号間の位相差及び該ビデオ信号の周波数を同一に維持することを特徴とするカラー画像形成装置。」
　
２．引用例
２−１．引用文献１
　これに対し、当審における平成２０年７月２２日付けの拒絶理由通知書において引用され、本願出願前に頒布された刊行物である特開２００１−１２５３４０号公報（以下「引用文献１」という）には、図面とともに、以下の事項が記載されている。（なお、下線は当審で付した）
　
２−１ａ．「【特許請求の範囲】
【請求項１】  
複数の画像形成手段により形成された各色の画像を中間転写体に転写してカラー画像を得るカラー画像形成装置において、前記中間転写体上に形成された検知用マークを検知する検知手段と、前記中間転写体の駆動部材に取付けられたロータリエンコーダと、を有し、前記中間転写体に各色同時に前記検知用マークを形成し、前記検知用マークを前記検知手段により検知し、このときの前記ロータリエンコーダの出力により前記画像形成手段の設置間隔を測定することを特徴とするカラー画像形成装置。
　
２−１ｂ．「【０００４】
【発明が解決しようとする課題】しかしながら、無端状ベルトを用いた中間転写体を備え、複数の画像形成手段が並置されたカラー画像形成装置では、無端状ベルトの回転駆動によるベルトの偏りや経時的なベルトの伸びなどの劣化により、レジストマークによるタイミングの補正のみで色ずれや濃度むらをなくすことは困難であった。
【０００５】従って、本発明の目的は、安定した画質の画像形成を行なうことのできるカラー画像形成装置を提供することである。」
　
２−１ｃ．「【０００８】
【発明の実施の形態】以下、本発明に係るカラー画像形成装置を図面に則して更に詳しく説明する。
【０００９】実施例１
本発明の第１実施例について図１〜図５により説明する。図１に、本実施例のカラー画像形成装置を概略的に示す。
【００１０】図１において、本実施例のカラー画像形成装置は、イエローＹの画像形成手段としてのプロセスカートリッジ（以下、「カートリッジ」という）５、マゼンタＭのカートリッジ６、シアンＣのカートリッジ７、およびブラックＢＫのカートリッジ８が、無端状ベルトにより構成された中間転写体９の平面部に沿って並置されている。
【００１１】各カートリッジ５〜８は、同一の構成を備えており、それぞれ電子写真感光体（以下、「感光体」という）４、感光体４表面の静電潜像をトナー像として現像する現像剤担持体である現像スリーブ３、および現像剤収納および感光体クリーニングの廃トナー用ボックス２が一体的に構成され、装置本体に対して着脱可能とされている。
【００１２】また、各カートリッジ５〜８の感光体４に静電潜像を形成するスキャナユニット１がそれぞれ配設されている。スキャナユニット１は不図示の半導体レーザおよび多面鏡などから構成されている。
【００１３】中間転写体９は３本のローラ、すなわち駆動部材としての駆動ローラ９ａ、２次転写対向ローラ９ｂ、およびテンションローラ９ｃに張設され、図中矢印方向に回転される。
【００１４】最終色であるブラック用カートリッジ８の、中間転写体９移動方向下流側には２つの検知手段であるセンサ１０ａ、１０ｂからなるマーク読み取り部１０が配置されている。
【００１５】また、２次転写対向ローラ９ｂに対向して転写ローラ１２が配置され、さらに、印字媒体上に転写されたトナー像を定着するための定着器１１が設けられている。
【００１６】さらに、中間転写体９の駆動ローラ９ａにはロータリエンコーダ１３が取付けられている。
【００１７】つぎに、上記構成のカラー画像形成装置の動作を説明する。
【００１８】画像データが送られてくると第１色目であるイエロー用カートリッジ５のスキャナユニット１中の半導体レーザと回転多面鏡によりレーザ光を感光体４上に走査させ、感光体４上へ画像データに応じた静電潜像を形成し、この静電潜像を現像スリーブ３によりトナー像として可視化し、トナー像を中間転写体９に転写する。
【００１９】同様にして、マゼンタ、シアン、およびブラックのトナー像がそれぞれ中間転写体９に重ねて転写する。中間転写体９上のトナー像は転写ローラ１２によりさらに印字媒体Ｐへ転写され、定着器１１により印字媒体Ｐ上へ定着され、機外のトレイ２１に出力される。以上が電子写真プロセスである。」
　
２−１ｄ．「【００３３】このａ、ｂ、ｃをそれぞれ初期値とし、図５に示したように、一定期間後あるいは一定枚数を出力した後に（Ｓ１０）、カートリッジ設置間隔測定モードに入り（Ｓ１１）、Ｙ、Ｍ、Ｃ、ＢＫの各色同時に各カートリッジにより画像形成を開始し、中間転写体９上へ各色同形のパッチを形成する（Ｓ１２）。ついで、読み取り部１０にて各色のパッチを読み取り、カートリッジの設置間隔を測定し（Ｓ１３）、そのときのそれぞれの値をａ’、ｂ’、ｃ’として、不図示の比較部にて、これらの設置間隔と初期の設置間隔とを比較し（Ｓ１４）、それぞれのカートリッジの位置ずれ量を計測する（Ｓ１５）。ついで、このときのずれ量をそれぞれメモリへ格納し（Ｓ１６）、設置間隔測定モードを終了する（Ｓ１６）。そして、つぎの画像形成時には、このずれ量に応じて画像書き出し位置に補正を加えて画像形成を行なう。」
　
２−１ｅ．「【００４６】
図９において、コンピュータ３３から画像データがコントローラ３２へ送信され、コントローラ３２は画像形成を開始する信号を発生させる。この信号を受けて画像形成部２８では画像形成開始信号（以下、「ＴＯＰ信号」という）を生成する。このＴＯＰ信号により画像形成を開始する。このＴＯＰ信号の前のタイミングにＰＲＥＴＯＰ信号を各色のカートリッジ５〜８へ送信し、非印字領域へ各色同時に読み取り用のマークを形成する。
　
２−１ｆ．上記段落【０００９】及び【００４６】等で参照している【図１】及び【図９】は、以下に示すものである。
　
　　　　　　　　　　　　　【図１】
　
　　　　　　　　　　　　　　【図９】
　
２−１ｇ．そして、段落【００１８】に「感光体上へ画像データに応じた静電潜像を形成し、この静電潜像を現像スリーブによりトナー像として可視化し、トナー像を中間転写体に転写する。」と記載されていることから、感光体上のトナー像を中間転写体に転写するために「転写手段」を有しているといえる。
　
　上記２−１ａ〜２−１ｇの摘記事項等を総合して勘案すると、引用文献１には以下の発明（以下「引用文献１記載発明」という）が実質的に記載されている。
「複数の電子写真感光体、
　該電子写真感光体の各々に対応して設けられ、異なる複数の単色像の書込を行うスキャナユニット、
　ベルト状の中間転写体、
　前記電子写真感光体の各々に対応して設けられ、前記中間転写体に前記単色像を転写して前記中間転写体上にカラー像を形成する複数の転写手段及び、
　前記カラー像を印字媒体に転写する転写ローラを有するカラー画像形成装置であって、
　各色のレジストマークを前記複数の電子写真感光体の各々に形成し、形成された前記レジストマークを前記中間転写体に前記転写手段により転写して前記中間転写体上に複数の前記レジストマークを形成する制御を行うコントローラ及び前記中間転写体上の前記レジストマークの位置を検知するマーク読み取り部を有するカラー画像形成装置において、
　前記コントローラは、ＰＲＥＴＯＰ信号を送信し、前記転写手段の各々が同時に前記レジストマークの転写を行うように、前記スキャナユニットの書込タイミングを制御するカラー画像形成装置。」
　
３．本願発明１と引用文献１記載発明の対比
　引用文献１記載発明の「電子写真感光体」、「スキャナユニット」、「転写手段」、「印字媒体」、「転写ローラ」、「コントローラ」、「マーク読み取り部」は、それぞれ、本願補正発明１の「像担持体」、「書込手段」、「第１転写手段」、「記録材」、「第２転写手段」、「制御手段」、「マークセンサ」に相当する。
　
　したがって、両者は、
「複数の像形成体、
　該像形成体の各々に対応して設けられ、異なる複数の単色像の書込を行う書込手段、
　ベルト状の中間転写体、
　前記像形成体の各々に対応して設けられ、前記中間転写体に前記単色像を転写して前記中間転写体上にカラー像を形成する複数の第１転写手段及び、
　前記カラー像を記録材に転写する第２転写手段を有するカラー画像形成装置であって、
　各色のレジストマークを前記複数の像形成体の各々に形成し、形成された前記レジストマークを前記中間転写体に前記第１転写手段により転写して前記中間転写体上に複数の前記レジストマークを形成する制御を行う制御手段及び前記中間転写体上の前記レジストマークの位置を検知するマークセンサを有するカラー画像形成装置において、
　前記制御手段は、前記第１転写手段の各々が同時に前記レジストマークの転写を行うように、前記書込手段の書込タイミングを制御するカラー画像形成装置。」
　である点で一致し、以下の点で相違する。
　
３−１．相違点
　本願発明１は、制御において、レジストマークを形成する際に書込手段の各々に入力するビデオ信号間の位相差及び該ビデオ信号の周波数を同一に維持しているのに対し、引用文献１記載発明は、ＰＲＥＴＯＰ信号を送信しているが、当該信号の位相差や周波数を同一に維持しているかどうか不明な点。
　
４．判断
　上記相違点について検討する。
　レーザー露光のための信号が周波数や位相により規定されていることは、特開平１−２３４８６３号公報、特開２００１−２５５４７８号公報、特開２００１−３３７５０４号公報、実願昭６２−７７３３８号(実開昭６３−１８８６６２号)のマイクロフイルム、特開２００１−５５２７号公報等にあるように当業者にとって技術常識であり、各制御対象を同一に制御するために、同一波形の信号を送信することは、例をあげるまでもなく、周知の技術である。
　してみると、引用文献１記載発明における同時にレジストマークを書き込む制御を、周知技術でもある位相や周波数が同一の信号を維持することを採用して、相違点に係る構成を有するものとすることは、当業者が容易に想到しうるものである。
　また、各制御対象のタイミングを調整するために、信号の位相差や周波数を同一に維持することによる予期せざる格別の作用効果が奏せられるものでもない。
　
５．むすび
　以上のとおりであり、本願の請求項１に係る発明は、引用文献１に記載された発明及び周知技術に基づいて当業者が容易に発明をすることができたものであるから、特許法２９条第２項の規定により、特許を受けることができず、本願の他の請求項に係る発明について検討するまでもなく、本願は拒絶すべきものである。　
　よって、結論のとおり審決する。